(57)【特許請求の範囲】
【請求項１】
壁に固定された支持材と、
浴槽および前記壁から離間した状態で前記支持材により下面を支持され上面視において後端よりも後方の前記支持材の横方向の幅よりも広い横方向の幅を有する天板と、
正面視で前記天板の上方、かつ、側面視で前記天板の前端よりも後方に設けられた被ホース接続部と、
一端が前記被ホース接続部に接続されたホースと、
前記ホースの他端に接続されたシャワーヘッドと、
前記天板よりも上方かつ前記壁に設けられ、前記シャワーヘッドを異なる高さで着脱自在に保持可能なシャワーヘッド保持手段と、
前記シャワーヘッド保持手段から取り外された状態の前記シャワーヘッドを前記天板よりも前方で使用者が操作しているときに、前記被ホース接続部と前記シャワーヘッドとを繋ぐ前記ホースが前記天板を下回って前記天板の後端に引っ掛かることを抑制するホース引っ掛かり抑制手段と、
を備え、
前記ホース引っ掛かり抑制手段は、被ホース接続部を、前記シャワーヘッド保持手段によって前記シャワーヘッドが最低位置で保持された状態において、Ｕ字状に垂れる前記ホースの下端が前記天板の下面よりも上方に位置する高さに配置することで構成されたことを特徴とする浴室。
【請求項２】
前記ホース引っ掛かり抑制手段は、被ホース接続部を、前記シャワーヘッド保持手段によって前記シャワーヘッドが最低位置で保持された状態において、Ｕ字状に垂れる前記ホースの下端が前記天板の上面よりも上方に位置する高さに被ホース接続部を配置することで構成されたことを特徴とする請求項１記載の浴室。
【請求項３】
前記シャワーヘッド保持手段は、
前記壁に固定され上下方向の成分を有する第１の方向へ延びるバーと、
前記第１の方向へ移動可能に前記バーに取り付けられ、前記シャワーヘッドを係止可能な係止部と、
を有し、
前記被ホース接続部は、前記係止部が最低位置に取り付けられている状態において、前記係止部よりも高い位置に配置されたことを特徴とする請求項１または２に記載の浴室。
【請求項４】
前記シャワーヘッド保持手段は、
前記壁に前記シャワーヘッドを最低位置で保持可能な高さに固定され、前記シャワーヘッドを係止可能な第１の係止部と、
前記第１の係止部よりも上方において前記壁に固定され前記シャワーヘッドを係止可能な第２の係止部と、
を有し、
前記被ホース接続部は、前記第１の係止部よりも高い位置に配置されたことを特徴とする請求項１または２に記載の浴室。
【請求項５】
前記被ホース接続部および前記シャワーヘッド保持手段は、正面視において、前記天板の左右端部のいずれか一方の端部の側に配置されたことを特徴とする請求項１〜４のいずれか１つに記載の浴室。
【発明の詳細な説明】
【技術分野】
【０００１】
本発明の態様は、一般的に、カウンタが取り付けられた浴室に関する。
【背景技術】
【０００２】
家庭の浴室において身体を洗う作業を楽にするために、浴室用カウンタが浴室の壁に取り付けられている。使用者は、浴室用カウンタを利用することにより洗面器を洗い場よりも上方に置くことができる。
【０００３】
ここで、トップ部材、ボディ部材、及びブラケットの３つの部材で構成されたカウンターがある（特許文献１）。特許文献１に記載されたカウンターでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンターでは、トップ部材と壁面とが成す角部において入隅が形成されてしまう。特許文献１のカウンターでは、排水溝の前後方向の幅が比較的狭いため、入隅を掃除することは困難であり、入隅にこびりついた水垢や石鹸カスを落とすことは容易ではない。したがって、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通しカウンタを支持している。しかし、特許文献２に記載されたカウンタ付き浴室であっても、支柱がカウンタを貫通しているため、カウンタの側端面と支柱とが成す角部において入隅が形成される。そのため、入隅にこびりついた水垢や石鹸カスを落とすことは容易ではなく、入隅の掃除には手間がかかるという点においては、改善の余地がある。
【０００６】
これに対して、本発明者は、浴室の壁面および浴槽から離間して設けられた天板を有する浴室用カウンタを検討中である。検討中の天板は、浴室の壁面（天板後方の壁面）に取り付けられた支持材により支持されている。また、検討中の支持材は、上面視において天板後端よりも後方に存在する支持材の横方向の幅（左端から右端までの長さ）が天板の横方向の幅よりも狭い。上面視において天板後端よりも後方に存在する支持材の上面には天板から流れてくる排水がかかりやすいため、このように支持材の横方向の幅を狭くすることによって、支持材上面の横方向における清掃範囲を抑えることができ、支持材上面の掃除の手間を抑えることができる。
【０００７】
しかし、本発明者の得た知見によれば、検討中の浴室用カウンタを備えた浴室では、使用者が手に持ったシャワーヘッドを天板よりも前方で操作しているときに、シャワーヘッドに接続されたホースがシャワーヘッドの動きに応じて振り回され、天板よりも上方から下降するホースが天板と浴室の壁面との間の隙間に入り、ホースが天板を下回ることがある。すると、シャワーヘッドに接続されたホースが天板の後端に引っ掛かり、シャワーヘッドを所望の位置まで移動させられないなど、シャワーヘッドの使い勝手が非常に悪くなることがあるという新たな課題が生ずる。
【先行技術文献】
【特許文献】
【０００８】
【特許文献１】特開２０１１−６７３４０号公報
【特許文献２】特開２０１３−１７９９８７号公報
【発明の概要】
【発明が解決しようとする課題】
【０００９】
本発明は、かかる課題の認識に基づいてなされたものであり、ホースが天板の後端に引っ掛かることを抑制することができる浴室を提供することを目的とする。
【課題を解決するための手段】
【００１０】
第１の発明は、壁に固定された支持材と、浴槽および前記壁から離間した状態で前記支持材により下面を支持され上面視において後端よりも後方の前記支持材の横方向の幅よりも広い横方向の幅を有する天板と、正面視で前記天板の上方、かつ、側面視で前記天板の前端よりも後方に設けられた被ホース接続部と、一端が前記被ホース接続部に接続されたホースと、前記ホースの他端に接続されたシャワーヘッドと、前記天板よりも上方かつ前記壁に設けられ、前記シャワーヘッドを異なる高さで着脱自在に保持可能なシャワーヘッド保持手段と、前記シャワーヘッド保持手段から取り外された状態の前記シャワーヘッドを前記天板よりも前方で使用者が操作しているときに、前記被ホース接続部と前記シャワーヘッドとを繋ぐ前記ホースが前記天板を下回って前記天板の後端に引っ掛かることを抑制するホース引っ掛かり抑制手段と、を備え、前記ホース引っ掛かり抑制手段は、被ホース接続部を、前記シャワーヘッド保持手段によって前記シャワーヘッドが最低位置で保持された状態において、Ｕ字状に垂れる前記ホースの下端が前記天板の下面よりも上方に位置する高さに配置することで構成されたことを特徴とする浴室である。
【００１１】
この浴室によれば、天板の全ての側端面が浴槽および壁面から水平方向に離間しているため、天板と浴槽との間および天板と壁面との間において入隅が形成されることを抑えることができる。  
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室の見栄えをより向上させることができる。  
また、天板の全ての側端面が浴槽および壁面から水平方向に離間しているため、例えば清掃者は、汚れが付着した天板の側端面を端から端まで洗剤およびスポンジなどの清掃用具で簡単に擦り洗いすることができる。  
また、天板後端よりも後方の支持材の幅が天板の幅よりも狭いため、天板よりも後方側における支持材の上面の横方向の清掃範囲を小さく抑えることができる。これにより、水が比較的かかりやすい支持材の上面の清掃の手間を軽減することができる。
【００１２】
さらに、この浴室では、被ホース接続部は、シャワーヘッド保持手段によってシャワーヘッドが最低位置（通常、風呂いすに座っている使用者でも座った状態からシャワーヘッド４３０を着脱しやすい低い位置）で保持された状態において、Ｕ字状に垂れるホースの下端が天板の下面よりも上方に位置する高さに配置されている。  
これによれば、ホースの下端が天板の下面よりも下方に位置する場合に比べ、シャワーヘッド保持手段から取り外された状態のシャワーヘッドを天板よりも前方の比較的低い位置で使用者が操作したとしても、Ｕ字状に垂れるホースの下端が天板の下面を下回ることを抑制できるため、別途専用の部材を設けることなく、天板の後端にホースが引っかかることを抑制することができる。
【００１３】
第２の発明は、第１の発明において、前記ホース引っ掛かり抑制手段は、被ホース接続部を、前記シャワーヘッド保持手段によって前記シャワーヘッドが最低位置で保持された状態において、Ｕ字状に垂れる前記ホースの下端が前記天板の上面よりも上方に位置する高さに被ホース接続部を配置することで構成されたことを特徴とする浴室である。
【００１４】
この浴室によれば、被ホース接続部は、シャワーヘッド保持手段によってシャワーヘッドが最低位置で保持された状態において、Ｕ字状に垂れるホースの下端が天板の上面よりも上方に位置する高さに配置されている。これにより、より確実にホースの引っ掛かりを防止できる。
【００１５】
第３の発明は、第１または２の発明において、前記シャワーヘッド保持手段は、前記壁に固定され上下方向の成分を有する第１の方向へ延びるバーと、前記第１の方向へ移動可能に前記バーに取り付けられ、前記シャワーヘッドを係止可能な係止部と、を有し、前記被ホース接続部は、前記係止部が最低位置に取り付けられている状態において、前記係止部よりも高い位置に配置されたことを特徴とする浴室である。
【００１６】
この浴室によれば、被ホース接続部は、シャワーヘッドを最低位置で保持可能な高さにある係止部よりも高い位置に配置されているため、より確実に、ホースが所望の位置まで届くようホースの長さを確保することができる。
【００１７】
第４の発明は、第１または２の発明において、前記シャワーヘッド保持手段は、前記壁に前記シャワーヘッドを最低位置で保持可能な高さに固定され、前記シャワーヘッドを係止可能な第１の係止部と、前記第１の係止部よりも上方において前記壁に固定され前記シャワーヘッドを係止可能な第２の係止部と、を有し、前記被ホース接続部は、前記第１の係止部よりも高い位置に配置されたことを特徴とする浴室である。
【００１８】
この浴室によれば、被ホース接続部は、壁にシャワーヘッドを最低位置で保持可能な高さに固定された第１の係止部であってシャワーヘッドを係止可能な第１の係止部よりも高い位置に配置されているため、より確実に、ホースが所望の位置まで届くようホースの長さを確保することができる。
【００１９】
第５の発明は、第１〜４のいずれか１つの発明において、前記被ホース接続部および前記シャワーヘッド保持手段は、正面視において、前記天板の左右端部のいずれか一方の端部の側に配置されたことを特徴とする浴室である。
【００２０】
この浴室によれば、被ホース接続部およびシャワーハンガの両者が天板の左右端部のいずれか一方の端部の側に配置されているため、ホースの下端が天板の上面よりも上方に位置しても、使用者がシャワーヘッドをシャワーハンガに対して着脱させるときや、洗い場の側でシャワーヘッドを操作するときなどの一連の動作中において、天板の上面に載置された物（例えばシャンプーボトルや洗面器など）にホースが干渉することを抑えることができる。これにより、使い勝手の良さを確保することができる。
【発明の効果】
【００２１】
本発明の態様によれば、ホースが天板の後端に引っ掛かることを抑制することができる浴室が提供される。
【図面の簡単な説明】
【００２２】
【図１】本発明の実施の形態にかかる浴室を表す模式的斜視図である。
【図２】本実施形態にかかる浴室を表す模式的平面図である。
【図３】本実施形態の被ホース接続部およびホースを表す模式的斜視図である。
【図４】本実施形態にかかる浴室を表す模式的平面図である。
【図５】本実施形態にかかる浴室を表す模式的平面図である。
【図６】本実施形態の変形例にかかる浴室を表す模式的斜視図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す模式的斜視図である。  
図２は、本実施形態にかかる浴室を表す模式的平面図である。  
図３は、本実施形態の被ホース接続部およびホースを表す模式的斜視図である。  
図４および図５は、本実施形態にかかる浴室を表す模式的平面図である。  
図６は、本実施形態の変形例にかかる浴室を表す模式的斜視図である。
【００２４】
図２は、本実施形態にかかる浴室を上方から眺めた（上面視）ときの模式的平面図である。図２では、説明の便宜上、水栓を省略している。図３（ａ）は、ホースが被ホース接続部に接続された状態を表す模式的斜視図である。図３（ｂ）は、ホースが被ホース接続部から外れた状態を表す模式的斜視図である。図４は、本実施形態にかかる浴室を前方から眺めたときの模式的平面図である。図５は、本実施形態にかかる浴室を側方から眺めたときの模式的平面図である。
【００２５】
本実施形態にかかる浴室１０は、浴槽２００と、カウンタ３００と、水栓４００と、被ホース接続部４１１と、シャワーヘッド保持手段４６０と、ホース引っ掛かり抑制手段と、を備える。浴室１０は、鏡８０１を備えていてもよい。
【００２６】
カウンタ３００および水栓４００は、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。
【００２７】
カウンタ３００は、天板３１０と、支持材３２０と、を有する。  
図２に表したように、天板３１０は、第１の側端面３１１と、第２の側端面３１２と、第３の側端面３１３と、第４の側端面３１４と、上面３１６と、下面３１７（図４参照）と、を有し、支持材３２０により支持されている。図１および図２に表したように、天板３１０は、浴槽２００、第１の壁面１１０および第２の壁面１２０から離間している。
【００２８】
より具体的に説明すると、第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０の全ての側端面（第１の側端面３１１、第２の側端面３１２、第３の側端面３１３、および第４の側端面３１４）は、浴槽２００、第１の壁面１１０、および第２の壁面１２０から水平方向に離間している。
【００２９】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００３０】
第１の側端面３１１、第２の側端面３１２、および第３の側端面３１３の拭き掃除をするために、距離Ｄ１、距離Ｄ２、および距離Ｄ３は、より適切な距離に適宜設定されている。具体的には、距離Ｄ１、距離Ｄ２、および距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１、距離Ｄ２、および距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上、５０ｍｍ以下であることがより好ましい。なお、第１の側端面３１１、第２の側端面３１２、第３の側端面３１３、および第４の側端面３１４は、平面ではなく曲面を有していてもよい。例えば、側端面３１１〜３１４は、外方に向かって凸状に湾曲した形状でも良い。これによれば、例えば清掃者は、拭き掃除をより一層手軽に行うことができる。
【００３１】
支持材３２０は、第１の壁面１１０に取り付けられている。より具体的には、支持材３２０の一端は、例えばボルトなどの締結具により第１の壁面１１０に固定されている。支持材３２０の他端は、例えばネジなどの締結具により天板３１０の下面３１７に固定され、天板３１０の下面３１７を支持している。なお、支持材３２０は、天板３１０の下面３１７を直接的に支持しているのではなく、天板３１０の撓みを抑える補強材（図示せず）を介して天板３１０の下面３１７を支持していてもよい。また、支持材３２０は、天板３１０を支持する支持材本体と、支持材本体を覆うカバーから構成されていても良い。
【００３２】
天板３１０よりも後方側において、支持材３２０の幅は、天板３１０の幅よりも狭い。つまり、図２に表したように、支持材３２０の横方向の長さ（横方向の幅）Ｄ５は、天板３１０の横方向の長さ（横方向の幅）Ｄ４よりも短い。言い換えれば、天板３１０の幅は、天板３１０の後端よりも後方の支持材３２０の幅よりも広い。なお、天板３１０の後端よりも前方側において、支持材３２０の横方向の長さは、天板３１０の横方向の長さより短くても良いし、天板３１０の横方向の長さより長くても構わない。また、天板３１０の横方向の長さと同一でも構わない。  
本願明細書において「横方向」とは、水平方向であって第１の壁面１１０に平行な方向をいう。
【００３３】
天板３１０の第２の側端面３１２と、支持材３２０の左端と、の間の横方向の距離Ｄ９は、例えば約１９５ｍｍ以上、４５０ｍｍ以下程度である。天板３１０の第３の側端面３１３と、支持材３２０の右端と、の間の距離Ｄ１０は、例えば約１９５ｍｍ以上、４５０ｍｍ以下程度である。これによれば、天板３１０の上面３１６に複数の物を置くことができるようにしつつも、天板３１０も安定して支持することができる。
【００３４】
天板３１０の上面３１６は、略平坦である。例えば、使用者は、洗面器やシャンプーのボトル等を天板３１０の上面３１６に載せることができる。天板３１０の上面３１６には、排水のための傾斜が設けられていてもよい。この場合、経年によって傾斜方向が変わらないよう、天板３１０の上面３１６を前方側に下降傾斜させておくことが好ましい。天板３１０の上面３１６の傾斜角度は、水が天板３１０の上面３１６に著しく残らない程度の排水勾配の角度、かつ、天板３１０の上面３１６に置かれた物が滑り落ちない程度の傾斜角度であることがより好ましい。天板３１０の上面３１６の傾斜角度は、例えば約１．１５度以上、１．９１度以下程度である。
【００３５】
本願明細書において、「前方」とは、カウンタ３００および水栓４００が第１の壁面１１０に取り付けられた状態において、第１の壁面１１０に垂直な方向であって第１の壁面１１０からみてカウンタ３００および水栓４００の側の方向をいう。本願明細書において、「後方」とは、「前方」とは反対の方向をいう。本願明細書において、「下方」とは、カウンタ３００および水栓４００が第１の壁面１１０に取り付けられた状態において、鉛直方向であって水栓４００からみてカウンタ３００の側の方向をいう。本願明細書において、「上方」とは、「下方」とは反対の方向をいう。
【００３６】
水栓４００は、カウンタ３００よりも上方に設けられ、第１の壁面１１０に取り付けられている。水栓４００は、吐水部４１３と、を有する。  
第１の壁面１１０には、被ホース接続部４１１が取り付けられている。被ホース接続部４１１は、浴室１０を前方から眺めた（正面視）ときに天板３１０の上方、かつ、浴室１０を側方から眺めた（側面視）ときに天板３１０の前端よりも後方に設けられている。
【００３７】
また、水栓４００には、シャワーヘッド４３０と、ホース４４０と、が設けられている。水栓４００からは、図示しない配管が延びており、この配管は、第１の壁面１１０の裏を通って被ホース接続部４１１に接続されている。ホース４４０の一端は、被ホース接続部４１１に接続され、ホース４４０の他端は、シャワーヘッド４３０に接続されている。
【００３８】
より具体的に説明すると、図３（ａ）および図３（ｂ）に表したように、被ホース接続部４１１の先端部には、雄ねじ４１１ａが形成されている。一方で、ホース４４０の先端部には、接続金具４４８が設けられている。接続金具４４８の内側には、雌ねじ４４８ａが形成されている。接続金具４４８の雌ねじ４４８ａを被ホース接続部４１１の雄ねじ４１１ａに締め付けることにより、ホース４４０の一端は、被ホース接続部４１１に接続される。接続金具４４８の軸方向は、接続金具４４８から延びるホース４４０の軸方向と同一である。また、被ホース接続部４１１に接続されたホース４４０は、被ホース接続部４１１の軸方向に延びている。被ホース接続部４１１は可動式（被ホース接続部４１１の軸方向がホース４４０の動きに応じて変化する）でも固定式（被ホース接続部４１１の軸方向がホース４４０の動きに応じて変化しない）でも構わない。
【００３９】
ホース４４０は、可撓性および弾性を有する。また、ホース４４０の径は、例えば１２ミリメートル（ｍｍ）以上、２０ｍｍ以下程度である。但し、ホース４４０の径は、一例であり、これだけには限定されない。ホース４４０の材料としては、例えばゴムや金属などが挙げられる。
【００４０】
水栓４００は、供給された水を吐水部４１３から天板３１０へ向かって吐出する。例えば、水栓４００は、天板３１０の上に載置された洗面器に吐水部４１３から水を供給する。あるいは、水栓４００は、供給された水を被ホース接続部４１１からホース４４０へ導く。ホース４４０へ導かれた水は、シャワーヘッド４３０から吐出される。水栓４００は、温度調整ユニット（図示せず）と、流量調整ユニット（図示せず）と、を有する。本願明細書において、「水」には、冷水のみならず、加温されたお湯が含まれる。
【００４１】
シャワーヘッド保持手段４６０は、天板３１０よりも上方において第１の壁面１１０に設けられ、シャワーヘッド４３０を異なる高さの位置において着脱自在に保持することができる。図１に表した浴室１０では、シャワーヘッド保持手段４６０は、バー４６１と、係止部４６３と、を有する。バー４６１は、第１の脚部４６１ａと、第１の脚部４６１ａよりも上方に位置する第２の脚部４６１ｂと、において第１の壁面１１０に固定され、上下方向の成分を有する第１の方向へ延びている。図１に表したバー４６１においては、第１の方向は、上下方向と略同じである。なお、第１の方向は、上下方向の成分を有していればよく、上下方向に対して斜め方向に延びていてもよい。係止部４６３は、バー４６１に取り付けられ、第１の方向へ移動可能とされている。例えば使用者は、係止部４６３に設けられた操作ボタン４６５を押すと、係止部４６３がばね（図示せず）によってバー４６１を締め付ける力（締付力）を緩め、係止部４６３を任意の高さに調整することができる。使用者は、操作ボタン４６５から手を離すと、係止部４６３がばね（図示せず）によってバー４６１を締め付け、係止部４６３を任意の高さに固定させることができる。また、係止部４６３は、シャワーヘッド４３０を係止することができる。これにより、シャワーヘッド４３０は、シャワーヘッド保持手段４６０に対して着脱自在に設けられ、上下方向の位置を調整可能とされている。図５に表したように、被ホース接続部４１１は、シャワーヘッド保持手段４６０によってシャワーヘッド４３０が最低位置（係止部４６３がバー４６１の第１の脚部４６１ａと当たる位置）で保持された状態において、係止部４６３よりも高い位置に配置されている。
【００４２】
あるいは、図６に表した変形例にかかる浴室１０のように、シャワーヘッド保持手段４６０は、複数の係止部を有していてもよい。図６に表した浴室１０では、シャワーヘッド保持手段４６０は、第１の係止部４６７と、第２の係止部４６８と、を有する。第１の係止部４６７は、第１の壁面１１０に固定され、シャワーヘッド４３０を係止することができる。第２の係止部４６８は、第１の係止部４６７よりも上方において第１の壁面１１０に固定され、シャワーヘッド４３０を係止することができる。これにより、シャワーヘッド４３０は、シャワーヘッド保持手段４６０に対して着脱自在に設けられ、上下方向の位置を調整可能とされている。図６に表したように、被ホース接続部４１１は、シャワーヘッド保持手段４６０によってシャワーヘッド４３０が最低位置（図６参照）で保持された状態において、第１の係止部４６７よりも高い位置に配置されている。  
このように、シャワーヘッド保持手段４６０は、シャワーヘッド４３０を複数の位置に固定するタイプ（図６に表した浴室１０の例）のものでもよいし、シャワーヘッド４３０を支持する部分を昇降させるタイプ（図１に表した浴室１０の例）のものでもよい。
【００４３】
ホース引っ掛かり抑制手段は、シャワーヘッド保持手段４６０から取り外された状態のシャワーヘッド４３０を天板３１０よりも前方で使用者が操作しているときに、被ホース接続部４１１とシャワーヘッド４３０とを繋ぐホース４４０が天板３１０を下回って天板３１０の後端に引っ掛かることを抑制する。
【００４４】
ホース引っ掛かり抑制手段は、被ホース接続部４１１を、シャワーヘッド保持手段４６０によってシャワーヘッド４３０が最も低い位置（最低位置：係止部４６３がバー４６１の第１の脚部４６１ａと当たる位置）で保持された状態において、Ｕ字状に垂れるホース４４０の下端４４０ｂが天板３１０の下面３１７よりも上方に位置する高さに配置することで構成されている。
【００４５】
また、ホース引っ掛かり抑制手段は、被ホース接続部４１１を、シャワーヘッド保持手段４６０によってシャワーヘッド４３０が最も低い位置で保持された状態において、Ｕ字状に垂れるホース４４０の下端４４０ｂが天板３１０の上面３１６よりも上方に位置する高さに配置することで構成されるとより好ましい。
【００４６】
また、被ホース接続部４１１およびシャワーヘッド保持手段４６０は、正面視において、天板３１０の左右端部のいずれか一方の端部の側に配置されている。つまり、被ホース接続部４１１およびシャワーヘッド保持手段４６０の両者は、正面視において、天板３１０の左右端部のいずれか一方の端部の同じ側に配置されている。
【００４７】
本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。
【００４８】
本願明細書において「入隅」とは、複数の面が互いに接続された箇所の内側の部分をいうものとする。あるいは、本願明細書において「入隅」とは、複数の面が互いに接続された箇所の凹んだ部分をいうものとする。
【００４９】
これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室１０の見栄えをより向上させることができる。
【００５０】
また、天板３１０の全ての側端面が浴槽２００、第１の壁面１１０、および第２の壁面１２０から水平方向に離間しているため、例えば清掃者は、汚れが付着した天板３１０の側端面を端から端まで洗剤およびスポンジなどの清掃用具で簡単に擦り洗いすることができる。
【００５１】
また、支持材３２０の幅が天板３１０の幅よりも狭いため、天板３１０よりも後方側における支持材３２０の上面の横方向の清掃範囲をより小さく抑えることができる。さらに、天板３１０よりも後方側における支持材３２０の上面の面積をより狭い面積に抑えることができる。これにより、水が比較的かかりやすい、天板３１０よりも後方側の支持材３２０の上面の清掃の手間を軽減することができる。
【００５２】
ここで、図２に表したように、天板３１０よりも後方側において、支持材３２０の幅が天板３１０の幅よりも狭く、天板３１０の全ての側端面が浴槽２００、第１の壁面１１０、および第２の壁面１２０から水平方向に離間している場合、使用者が手に持ったシャワーヘッドを天板よりも前方で操作しているときに、シャワーヘッドに接続されたＵ字状に垂れるホースがシャワーヘッドの動きに応じて振り回され、天板よりも上方から下降するホースが天板と第１の壁面との間の隙間（図２の例では、隙間Ｓ１）に側方から入ってしまい、天板よりも上方から下降するホースが天板後方の隙間を通り、かつ、シャワーヘッドに向かって上昇するホースが天板前方の空間を通る形態で、Ｕ字状に垂れるホースの下部が天板を下回ることがある。すると、天板よりも上方から下降するホースが天板の後端に引っ掛かり、シャワーヘッドを所望の位置まで移動させられないなど、シャワーヘッドの使い勝手が非常に悪くなることがあるという新たな課題が生ずる。
【００５３】
これに対して、本実施形態にかかる浴室１０は、ホース引っ掛かり抑制手段を備える。ホース引っ掛かり抑制手段の構成において、被ホース接続部４１１は、シャワーヘッド保持手段４６０によってシャワーヘッド４３０が最も低い位置で保持された状態において、Ｕ字状に垂れるホース４４０の下端４４０ｂが天板３１０の下面３１７よりも上方に位置する高さに配置されている。
【００５４】
これによれば、ホース４４０の下端４４０ｂが天板３１０の下面３１７よりも下方に位置する場合に比べ、シャワーヘッド保持手段４６０から取り外された状態のシャワーヘッド４３０を天板３１０よりも前方の比較的低い位置で使用者が操作したとしても、Ｕ字状に垂れるホース４４０の下端４４０ｂが天板３１０の下面３１７を下回ることを抑制できるため、被ホース接続部４１１から下降するホース４４０が、側方から天板３１０の後方の隙間Ｓ１に入り込むことを抑制でき、被ホース接続部４１１から下降するホース４４０が天板３１０の後端に引っ掛かることを抑制することができる。したがって、別途専用の部材を設けることなく、天板３１０の後端にホース４４０が引っかかることを抑制することができる。
【００５５】
また、ホース引っ掛かり抑制手段の構成において、被ホース接続部４１１は、シャワーヘッド保持手段４６０によってシャワーヘッド４３０が最も低い位置で保持された状態において、Ｕ字状に垂れるホース４４０の下端４４０ｂが天板３１０の上面３１６よりも上方に位置する高さに配置されている場合には、より確実にホース４４０の引っ掛かりを防止できる。
【００５６】
また、被ホース接続部４１１およびシャワーヘッド保持手段４６０の両者が天板３１０の左右端部のいずれか一方の端部の側に配置されている。図１、図４、および図６に表した浴室１０では、被ホース接続部４１１およびシャワーヘッド保持手段４６０の両者が天板３１０の左端部の側に配置されている。そのため、ホース４４０の下端４４０ｂが天板３１０の上面３１６よりも上方に位置しても、使用者８１１がシャワーヘッド４３０をシャワーヘッド保持手段４６０に対して着脱させるときや、洗い場１００の側でシャワーヘッド４３０を操作するときなどの一連の動作中において、天板３１０の上面３１６に載置された物（例えばシャンプーボトルや洗面器など）にホース４４０が干渉することを抑えることができる。これにより、使い勝手の良さを確保することができる。
【００５７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０、カウンタ３００、水栓４００、被ホース接続部４１１、およびシャワーヘッド保持手段４６０などが備える各要素の形状、寸法、材質、配置などやカウンタ３００、水栓４００、被ホース接続部４１１、およびシャワーヘッド保持手段４６０の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５８】
１０ 浴室、  １００ 洗い場、  １１０ 第１の壁面、  １２０ 第２の壁面、  ２００ 浴槽、  ２１０ 側面、  ３００ カウンタ、  ３１０ 天板、  ３１１ 第１の側端面、  ３１２ 第２の側端面、  ３１３ 第３の側端面、  ３１４ 第４の側端面、  ３１６ 上面、  ３１７ 下面、  ３２０ 支持材、  ４００ 水栓、  ４１１ 被ホース接続部、  ４１１ａ 雄ねじ、  ４１３ 吐水部、  ４３０ シャワーヘッド、  ４４０ ホース、  ４４０ｂ 下端、  ４４８ 接続金具、  ４４８ａ 雌ねじ、  ４６０ シャワーヘッド保持手段、  ４６１ バー、  ４６３ 係止部、  ４６５ 操作ボタン、  ４６７ 第１の係止部、  ４６８ 第２の係止部、  ８０１ 鏡、  ８１１ 使用者
【図１】
0006493806.tif 000002
【図２】
0006493806.tif 000003
【図３】
0006493806.tif 000004
【図４】
0006493806.tif 000005
【図５】
0006493806.tif 000006
【図６】
0006493806.tif 000007